(57)【要約】【課題】  熱収縮包装された包装用シートの不正な取外しを防止可能であり且つ遊技ホールへの設置作業及び遊技を支障なく行うことが可能な遊技機を提供する。【解決手段】  熱収縮によって遊技機Ｐ１外周に密着した包装用シートＳを遊技機Ｐ１からずらして取り外そうとする際に、包装用シートＳがシート取外し防止用突起１０ｂ等に当接して係止されることにより包装用シートＳの不正な取外しが確実に防止される。また、シート取外し防止用突起１０ｂ等を構成する突起部材１１は外枠１０の内側から取り付けネジ１２によって固定されているので、包装された遊技機Ｐ１本体における突起部材１１の取外しが防止される。【選択図】        図４
2005230026.tif 000002
【特許請求の範囲】
【請求項１】
開閉可能に設けられた複数の構成部材によって本体が構成されると共に、熱可塑性の包装用シートを本体外周に被着させて熱収縮包装される遊技機であって、
前記複数の構成部材の少なくとも一つに突起部材が着脱可能に取り付けられることによってシート取外し防止用突起が形成され、
前記突起部材は、前記複数の構成部材の少なくとも一つが開放された状態でのみ取外し可能であることを特徴とする遊技機。
【発明の詳細な説明】
【技術分野】
【０００１】
本発明は、パチンコ機等の遊技機、特に、不正改造防止を考慮した熱収縮包装が施される遊技機に関する。
【背景技術】
【０００２】
従来、パチンコ機等の遊技機の出荷には、遊技機全体をホールに納入する形態と、いわゆる板替えの際に遊技板をホールに納入する形態とがあるが、遊技機全体を製造して納入する場合、遊技機の製造ラインにて、遊技機全体を製造し、製造した遊技機の遊技板や基板ボックスやＲＯＭに証紙を貼付した後、不正改造防止のため遊技機全体をビニール袋に密封するように袋詰めされている（例えば、特許文献１参照。）。
【０００３】
しかしながら、遊技機全体を包装したビニール袋を開封して遊技機を取り出し、制御装置に不正改造を行った後、ビニール袋内に遊技機を戻し、ビニール袋の開封部分を何らかの方法によって塞ぐなどの細工が行われた場合は、元の包装状態と殆ど見分けが付かない場合も生じうるという問題が指摘されている。
【０００４】
一方、不正改造防止とパチンコ機の外径寸法の確認作業容易化の観点から、内枠と外枠とから構成されるパチンコ機の内枠のみを封印包装して外枠と共に配送可能としたパチンコ機の包装方法が提案されている。具体的には、（１）伸縮性の有るビニールシートを伸張して内枠の機能、製品に支障のない強度で制御装置部分に横方向に巻きつけ、巻きつけた箇所を接着材や熱溶着、又はパチンコ機メーカのロゴ等が明示されているテープなどで封印包装する方法、（２）内枠全体を袋状のシートに上から入れて、上部で密封する方法、（３）内枠に対して縦方向に制御装置部分にシートを巻きつけテープで封印する方法、（４）シートを分割して制御装置部分に巻きつけてテープで封印する方法、（５）制御装置部分にテープのみを巻きつける方法が提案されている（例えば、特許文献２参照）。
【０００５】
しかし、特許文献２に記載されたパチンコ機の包装方法では、作業性や不正改造発見の観点で欠点がある。例えば、（１）、（３）又は（４）の各方法では、ビニールシートを伸張して内枠に巻きつけるため、シートの伸張強度が強すぎるとシートの破れや不正改造保護部分の破損を生じる可能性があり、弱すぎると不正改造保護部分への密着性が不足し、元の包装状態と見分けがつかないように再包装を行うことが容易になってしまうという欠点がある。また、（２）又は（５）の方法についても、元の包装状態と略同様の外観を呈するように再包装を行うことが比較的容易であるという欠点がある。
【０００６】
そこで、本出願人は、このような問題点に鑑みて、特願２００３−３１７５８８号において、メイン基板等の遊技機の制御を行う部分の少なくとも一部を覆うように、熱可塑性材料からなる包装用シートを遊技機の外周に被着するシート被着工程と、遊技機の外周に被着された包装用シートの少なくとも一部に熱風の吹きつけ等による熱処理を施す熱処理工程とを備えた遊技機の包装方法を提案している。さらに、本出願人は、特願２００４−３２５３４０号において、この包装方法を実施するための包装装置を提案している。そして、これら本出願人提案による遊技機の包装方法及び包装装置によれば、包装用シートの被熱処理部分が収縮して遊技機の外周形状に沿って略密着するので、不正改造の発見がより確実になると共に、不正改造の未然防止を図ることができる。
【特許文献１】特開２００３−９３６２３号公報
【特許文献２】特開２００２−５２１５７号公報
【発明の開示】
【発明が解決しようとする課題】
【０００７】
しかしながら、熱収縮した包装用シートを引っ張って拡げながら、遊技機本体外周における外方への突出が少ない方向へ丁寧にずらしつつ遊技機から取り外すことにより、シートに痕跡を殆ど残すことなく包装を開封することもが全く不可能とは断定できないという問題がある。そこで、このような問題を対応するために、シートの取外しを防止するための突起を遊技機の外周に設けることも考えられるが、遊技ホールで遊技機を設置する際又は遊技機を使用して遊技を行う際に、シート取外し防止用の突起が邪魔になるという新たな問題が生じる可能性もある。
【０００８】
解決しようとする課題は、熱収縮包装された包装用シートの不正な取外しを防止可能であると共に、遊技ホールへの設置や遊技に支障のない遊技機を提供することである。
【課題を解決するための手段】
【０００９】
以下、上記課題を解決するのに適した各手段につき、必要に応じて作用効果等を付記しつつ説明する。
【００１０】
１．開閉可能に設けられた複数の構成部材によって本体が構成されると共に、熱可塑性の包装用シートを本体外周に被着させて熱収縮包装される遊技機であって、
前記複数の構成部材の少なくとも一つに突起部材が着脱可能に取り付けられることによってシート取外し防止用突起が形成され、
前記突起部材は、前記複数の構成部材の少なくとも一つが開放された状態でのみ取外し可能であることを特徴とする遊技機。
手段１によれば、熱収縮によって遊技機本体外周に密着した包装用シートを遊技機からずらして取り外そうとする際に、シート取外し防止用突起によって包装用シートが係止されることにより包装用シートの不正な取外しが確実に防止される。よって、包装用シートの一部を切断する等のシートに開封時の痕跡が残る作業以外では包装の開封が不可能となり、遊技機における不正改造の未然防止が図られると共に、不正改造が行われた場合にはシート開封時の痕跡によって確実に発見することができる。また、シート取外し防止用突起を構成する突起部材は、複数の構成部材の少なくとも一つが開放された状態でのみ取外し可能であるので、突起部材を取り外すためには、まず包装用シートを開封し、さらに複数の構成部材の少なくとも一つが開放された状態とする必要がある。よって、遊技機本体が包装用シートによって包装された状態では、突起部材を取外すことができないので、包装用シートの不正な取外しの防止をより確実に図ることができる。さらに、遊技機が遊技ホール等に納入された後、突起部材を取り外してシート取外し防止用突起の無い状態とすることができるので、遊技機の設置作業及び設置後の遊技を支障なく行うことができる。
【００１１】
２．前記複数の構成部材には、遊技領域を有する遊技板が設けられた本体枠と、その本体枠に対して開閉可能に設けられて前記遊技板を背面側から覆う機構板とが少なくとも含まれ、
前記突起部材は、前記機構板が前記本体枠に対して開放された状態でのみ取外し可能であることを特徴とする手段１に記載の遊技機。
手段２によれば、シート取外し防止用突起を構成する突起部材は、機構板が本体枠に対して開放された状態でのみ取外し可能であるので、突起部材を取り外すためには、まず包装用シートを開封し、さらに機構板を開放することが必要とされ、包装された遊技機本体における突起部材の取外しを確実に防止することができる。
【００１２】
３．前記突起部材は、前記機構板に取り付けられ、且つその機構板を前記本体枠側へ閉じた状態で内側となる位置で固定されたことを特徴とする手段２に記載の遊技機。
手段３によれば、突起部材が機構板に取り付けられ、且つ機構板を本体枠側へ閉じた状態で内側となる位置で固定されているので、機構板が本体枠に対して開放された状態でのみ突起部材が取外し可能とされる。
【００１３】
４．前記突起部材は、前記本体枠に取り付けられ、且つその機構板を前記本体枠側へ閉じた状態で内側となる位置で固定されたことを特徴とする手段２に記載の遊技機。
手段４によれば、突起部材が本体枠に取り付けられ、且つ機構板を本体枠側へ閉じた状態で内側となる位置で固定されているので、機構板が本体枠に対して開放された状態でのみ突起部材が取外し可能とされる。
【００１４】
５．前記複数の構成部材には、遊技領域を有する遊技板が設けられた本体枠と、その本体枠に対して開閉可能に設けられて前記遊技板を前面側から覆う前面枠とが少なくとも含まれ、
前記突起部材は、前記前面枠が前記本体枠に対して開放された状態でのみ取外し可能に取り付けられたことを特徴とする手段１に記載の遊技機。
手段５によれば、シート取外し防止用突起を構成する突起部材は、前面枠が本体枠に対して開放された状態でのみ取外し可能であるので、突起部材を取り外すためには、まず包装用シートを開封し、さらに前面枠を開放することが必要とされ、遊技機本体の包装状態における突起部材の取外しを確実に防止することができる。
【００１５】
６．前記突起部材は、前記前面枠に取り付けられ、且つその前面枠を前記本体枠側へ閉じた状態で内側となる位置で固定されたことを特徴とする手段５に記載の遊技機。
手段６によれば、突起部材が前面枠に取り付けられ、且つ前面枠を本体枠側へ閉じた状態で内側となる位置で固定されているので、前面枠が本体枠に対して開放された状態でのみ突起部材が取外し可能とされる。
【００１６】
７．前記突起部材は、前記本体枠に取り付けられ、且つ前記前面枠を前記本体枠側へ閉じた状態で内側となる位置で固定されたことを特徴とする手段５に記載の遊技機。
手段７によれば、突起部材が本体枠に取り付けられ、且つ前面枠を本体枠側へ閉じた状態で内側となる位置で固定されているので、前面枠が本体枠に対して開放された状態でのみ突起部材が取外し可能とされる。
【００１７】
８．前記複数の構成部材には、遊技領域を有する遊技板が設けられた本体枠と、矩形開口を有する枠状に構成されて前記本体枠を開閉可能に支持する外枠とが少なくとも含まれ、
前記突起部材は、前記本体枠が前記外枠に対して開放された状態でのみ取外し可能に取り付けられたことを特徴とする手段１に記載の遊技機。
手段８によれば、シート取外し防止用突起を構成する突起部材は、本体枠が外枠に対して開放された状態でのみ取外し可能であるので、突起部材を取り外すためには、まず包装用シートを開封し、さらに本体枠を開放することが必要とされ、遊技機本体の包装状態における突起部材の取外しを確実に防止することができる。
【００１８】
９．前記突起部材は、前記外枠に取り付けられ、且つその外枠の内側から固定されたことを特徴とする手段８に記載の遊技機。
手段９によれば、突起部材が外枠に取り付けられ、且つ外枠の内側から固定されているので、本体枠が外枠に対して開放された状態でのみ突起部材が取外し可能とされる。
【００１９】
１０．前記突起部材は、前記本体枠に取り付けられ、且つその本体枠を前記外枠側へ閉じた状態で内側となる位置で固定されたことを特徴とする手段８に記載の遊技機。
手段１０によれば、突起部材が本体枠に取り付けられ、且つ本体枠を外枠側へ閉じた状態で内側となる位置で固定されているので、本体枠が外枠に対して開放された状態でのみ突起部材が取外し可能とされる。
【００２０】
１１．前記複数の構成部材には、遊技領域を有する遊技板が設けられた本体枠と、その本体枠に対して開閉可能に設けられて前記遊技板を背面側から覆う機構板と、矩形開口を有する枠状に構成されて前記本体枠を開閉可能に支持する外枠とが少なくとも含まれ、
前記突起部材は、前記機構板に取り付けられ、且つ前記本体枠が前記外枠に対して開放された状態でのみ取外し可能であることを特徴とする手段１に記載の遊技機。
手段１１によれば、シート取外し防止用突起を構成する突起部材は、機構板に取り付けられ、且つ本体枠が外枠に対して開放された状態でのみ取外し可能であるので、突起部材を取り外すためには、まず包装用シートを開封し、さらに本体枠を開放することが必要とされ、包装された遊技機本体における突起部材の取外しを確実に防止することができる。
【００２１】
１２．前記複数の構成部材には、正面側に開口すると共に、複数種類の図柄が表示された複数の回転リールが収容される本体キャビネットと、その本体キャビネットの前面を覆うように開閉可能に取り付けられ、各回転リールの図柄を視認可能な表示窓を設けたフロントパネルとが少なくとも含まれ、
前記突起部材は、前記フロントパネルが前記本体キャビネットに対して開放された状態でのみ取外し可能であることを特徴とする手段１に記載の遊技機。
手段１２によれば、シート取外し防止用突起を構成する突起部材は、フロントパネルが本体キャビネットに対して開放された状態でのみ取外し可能であるので、突起部材を取り外すためには、まず包装用シートを開封し、さらにフロントパネルを開放することが必要とされ、包装された遊技機本体における突起部材の取外しを確実に防止することができる。
【００２２】
１３．前記突起部材は、前記フロントパネルに取り付けられ、且つそのフロントパネルの内側から固定されたことを特徴とする手段１２に記載の遊技機。
手段１３によれば、突起部材がフロントパネルに取り付けられ、且つフロントパネルの内側から固定されているので、フロントパネルが本体キャビネットに対して開放された状態でのみ突起部材が取外し可能とされる。
【００２３】
１４．前記突起部材は、前記本体キャビネットに取り付けられ、且つその本体キャビネットの内側から固定されたことを特徴とする手段１２に記載の遊技機。
手段１４によれば、突起部材が本体キャビネットに取り付けられ、且つ本体キャビネットの内側から固定されているので、フロントパネルが本体キャビネットに対して開放された状態でのみ突起部材が取外し可能とされる。
【００２４】
１５．前記複数の構成部材には、正面側に開口すると共に、複数種類の図柄が表示された複数の回転リールが収容される本体枠と、その本体枠の前面を覆うように開閉可能に取り付けられ、各回転リールの図柄を視認可能な表示窓を設けたフロントパネルとが少なくとも含まれ、
前記突起部材は、前記フロントパネルが前記本体枠に対して開放された状態でのみ取外し可能であることを特徴とする手段１に記載の遊技機。
手段１５によれば、シート取外し防止用突起を構成する突起部材は、フロントパネルが本体枠に対して開放された状態でのみ取外し可能であるので、突起部材を取り外すためには、まず包装用シートを開封し、さらにフロントパネルを開放することが必要とされ、包装された遊技機本体における突起部材の取外しを確実に防止することができる。
【００２５】
１６．前記突起部材は、前記フロントパネルに取り付けられ、且つそのフロントパネルの内側から固定されたことを特徴とする手段１５に記載の遊技機。
手段１６によれば、突起部材がフロントパネルに取り付けられ、且つフロントパネルの内側から固定されているので、フロントパネルが本体枠に対して開放された状態でのみ突起部材が取外し可能とされる。
【００２６】
１７．前記突起部材は、前記本体枠に取り付けられ、且つその本体枠の内側から固定されたことを特徴とする手段１５に記載の遊技機。
手段１７によれば、突起部材が本体枠に取り付けられ、且つ本体枠の内側から固定されているので、フロントパネルが本体枠に対して開放された状態でのみ突起部材が取外し可能とされる。
【００２７】
１８．前記シート取外し防止用突起は、遊技機本体外周において前記包装用シートによって覆われる所定領域の外側に設けられたことを特徴とする手段１乃至１７のいずれかに記載の遊技機。
手段１８によれば、熱収縮によって遊技機本体外周に密着した包装用シートを遊技機からずらして取り外そうとする際に、包装用シートによって覆われる遊技機本体外周の所定領域の外側に設けられたシート取外し防止用突起に当接して係止されることにより包装用シートの不正な取外しが確実に防止される。
【００２８】
１９．前記シート取外し防止用突起は、前記所定領域を挟む両側の領域に設けられたことを特徴とする手段１８に記載の遊技機。
手段１９によれば、所定領域を挟む両側の領域にシート取外し防止用突起部が設けられているので、包装用シートをいずれの方向にずらした場合にもシート取外し防止用突起によって係止されることにより包装用シートの不正な取外しが防止される。
【００２９】
２０．前記シート取外し防止用突起は、前記所定領域の端部に近接した位置に設けられたことを特徴とする手段１８又は１９に記載の遊技機。
手段２０によれば、所定領域の外側であって所定領域の端部に近接した位置にシート取外し防止用突起が設けられているため、包装用シートのシート取外し防止用突起側への移動が確実に禁止される。
【００３０】
２１．前記シート取外し防止用突起の突出高さは、前記所定領域内で最も突出した箇所よりも高く設定されたことを特徴とする手段１８乃至２０のいずれかに記載の遊技機。
手段２１によれば、シート取外し防止用突起の突出高さが、所定領域内で最も突出した箇所よりも高く設定されているので、熱収縮によって遊技機本体外周に密着した包装用シートを遊技機からずらして取り外そうとする際に、所定領域の外側に設けられたシート取外し防止用突起に確実に当接して係止される。
【００３１】
２２．前記遊技機本体外周の所定領域には、遊技機の制御に関連する部分が含まれることを特徴とする手段１８乃至２１のいずれかに記載の遊技機。
手段２２によれば、熱収縮によって遊技機の制御に関連する部分を含む遊技機本体外周の所定領域に密着した包装用シートを遊技機からずらして取り外そうとする際に、所定領域の外側の領域に設けられたシート取外し防止用突起によって係止されることにより包装用シートの不正な取外しが確実に防止される。よって、遊技機の制御に関連する部分への不正改造の未然防止及び不正改造の発見容易化を図ることができる。
【００３２】
２３．前記遊技機の制御に関連する部分には、遊技機背面に設けられたＬＥＤ基板、ランプ制御基板、音声制御基板、液晶パネル制御基板、図柄制御基板、図柄情報基板の少なくとも一つを覆う役物カバーが含まれることを特徴とする手段２２に記載の遊技機。
手段２３によれば、熱収縮によって役物カバーを含む遊技機本体外周の所定領域に密着した包装用シートを遊技機からずらして取り外そうとする際に、所定領域の外側の領域に設けられたシート取外し防止用突起に当接して係止されることにより包装用シートの不正な取外しが確実に防止される。よって、ＬＥＤ基板、ランプ制御基板、音声制御基板、液晶パネル制御基板、図柄制御基板、図柄情報基板等への不正改造の未然防止及び不正改造の発見容易化を図ることができる。
【００３３】
２４．前記遊技機の制御に関連する部分には、遊技機背面に設けられて遊技機の主制御を行う主制御基板を収容する主制御基板ボックスが含まれることを特徴とする手段２２又は２３に記載の遊技機。
手段２４によれば、熱収縮によって主制御基板ボックスを含む遊技機本体外周の所定領域に密着した包装用シートを遊技機からずらして取り外そうとする際に、所定領域の外側の領域に設けられたシート取外し防止用突起に当接して係止されることにより包装用シートの不正な取外しが確実に防止される。よって、主制御基板への不正改造の未然防止及び不正改造の発見容易化を図ることができる。
【００３４】
２５．前記遊技機の制御に関連する部分には、遊技機背面に設けられて遊技球の払出し制御を行う払出制御基板を収容する払出制御基板ボックスが含まれることを特徴とする手段２２乃至２４のいずれかに記載の遊技機。
手段２５によれば、熱収縮によって払出制御基板ボックスを含む遊技機本体外周の所定領域に密着した包装用シートを遊技機からずらして取り外そうとする際に、所定領域の外側の領域に設けられたシート取外し防止用突起に当接して係止されることにより包装用シートの不正な取外しが確実に防止される。よって、払出制御基板への不正改造の未然防止及び不正改造の発見容易化を図ることができる。
【００３５】
２６．前記シート取外し防止用突起は、遊技機本体外周において前記包装用シートによって覆われる所定領域内に設けられたことを特徴とする手段１乃至２５のいずれかに記載の遊技機。
手段２６によれば、包装用シートが熱収縮することにより遊技機本体外周の所定領域に密着すると共に、所定領域内に設けられたシート取外し防止用突起に係止されることにより包装用シートの不正な取外しが確実に防止される。
【００３６】
２７．前記シート取外し防止用突起は、遊技機本体外周の複数箇所に設けられたことを特徴とする手段１乃至２６のいずれかに記載の遊技機。
手段２７によれば、シート取外し防止用突起が遊技機本体外周の複数箇所に設けられているので、包装用シートが複数箇所でシート取外し防止用突起に係止されて取外しがより確実に防止される。
【００３７】
２８．前記シート取外し防止用突起は、少なくとも遊技機本体外周の左右両側に設けられたことを特徴とする手段２７に記載の遊技機。
手段２８によれば、シート取外し防止用突起が遊技機本体外周の左右両側に設けられているので、包装用シートが左右でシート取外し防止用突起によって係止されて取外しがより確実に防止される。
【００３８】
２９．前記シート取外し防止用突起は、少なくとも遊技機本体外周の上下両側に設けられたことを特徴とする手段２７又は２８に記載の遊技機。
手段２９によれば、シート取外し防止用突起が遊技機本体外周の上下両側に設けられているので、包装用シートがシート取外し防止用突起によって上下両方向における取外しが確実に防止される。
【００３９】
３０．前記シート取外し防止用突起は、少なくとも遊技機前面側に突出するように設けられたことを特徴とする手段１乃至２９のいずれかに記載の遊技機。
手段３０によれば、包装用シートが遊技機前面に突出するシート取外し防止用突起に係止されて取外しが防止される。
【００４０】
３１．前記シート取外し防止用突起は、少なくとも遊技機背面側に突出するように設けられたことを特徴とする手段１乃至３０のいずれかに記載の遊技機。
手段３１によれば、包装用シートが遊技機背面側に突出するシート取外し防止用突起に係止されて取外しが防止される。
【００４１】
３２．前記シート取外し防止用突起は、少なくとも遊技機側面側に突出するように設けられたことを特徴とする手段１乃至３１のいずれかに記載の遊技機。
手段３２によれば、包装用シートが遊技機側面側に突出するシート取外し防止用突起に係止されて取外しが防止される。
【００４２】
３３．前記遊技機は、パチンコ機であることを特徴とする手段１乃至１１、又は１８乃至３２のいずれかに記載の遊技機。
手段３３によれば、熱収縮によって遊技機本体外周に密着した包装用シートをパチンコ機からずらして取り外そうとする際に、シート取外し防止用突起によって包装用シートが係止されることにより包装用シートの不正な取外しが確実に防止される。よって、包装用シートの一部を切断する等のシートに開封時の痕跡が残る作業以外では包装の開封が不可能となり、パチンコ機における不正改造の未然防止が図られると共に、不正改造が行われた場合にはシート開封時の痕跡によって確実に発見することができる。また、シート取外し防止用突起を構成する突起部材は、複数の構成部材の少なくとも一つが開放された状態でのみ取外し可能であるので、突起部材を取り外すためには、まず包装用シートを開封し、さらに複数の構成部材の少なくとも一つが開放された状態とする必要がある。よって、パチンコ機本体が包装用シートによって包装された状態では、突起部材を取外すことができないので、包装用シートの不正な取外しの防止をより確実に図ることができる。さらに、パチンコ機が遊技ホール等に納入された後、突起部材を取り外してシート取外し防止用突起の無い状態とすることができるので、パチンコ機の設置作業及び設置後の遊技を支障なく行うことができる。
【００４３】
３４．前記遊技機は、スロットマシンであることを特徴とする手段１、１２乃至１４、１８乃至２２、又は２６乃至３２のいずれかに記載の遊技機。
手段３４によれば、熱収縮によって遊技機本体外周に密着した包装用シートをスロットマシンからずらして取り外そうとする際に、シート取外し防止用突起によって包装用シートが係止されることにより包装用シートの不正な取外しが確実に防止される。よって、包装用シートの一部を切断する等のシートに開封時の痕跡が残る作業以外では包装の開封が不可能となり、スロットマシンにおける不正改造の未然防止が図られると共に、不正改造が行われた場合にはシート開封時の痕跡によって確実に発見することができる。また、シート取外し防止用突起を構成する突起部材は、複数の構成部材の少なくとも一つが開放された状態でのみ取外し可能であるので、突起部材を取り外すためには、まず包装用シートを開封し、さらに複数の構成部材の少なくとも一つが開放された状態とする必要がある。よって、スロットマシン本体が包装用シートによって包装された状態では、突起部材を取外すことができないので、包装用シートの不正な取外しの防止をより確実に図ることができる。さらに、スロットマシンが遊技ホール等に納入された後、突起部材を取り外してシート取外し防止用突起の無い状態とすることができるので、スロットマシンの設置作業及び設置後の遊技を支障なく行うことができる。
【００４４】
３５．前記遊技機は、複数種類の図柄が表示された複数の回転リールを有し、前記各回転リールの回転停止時の図柄の組合わせに基づく入賞態様に応じて遊技球が払い出されるパチロット機であることを特徴とする手段１、又は１５乃至３２のいずれかに記載の遊技機。
手段３５によれば、熱収縮によって遊技機本体外周に密着した包装用シートをパチロット機からずらして取り外そうとする際に、シート取外し防止用突起によって包装用シートが係止されることにより包装用シートの不正な取外しが確実に防止される。よって、包装用シートの一部を切断する等のシートに開封時の痕跡が残る作業以外では包装の開封が不可能となり、パチロット機における不正改造の未然防止が図られると共に、不正改造が行われた場合にはシート開封時の痕跡によって確実に発見することができる。また、シート取外し防止用突起を構成する突起部材は、複数の構成部材の少なくとも一つが開放された状態でのみ取外し可能であるので、突起部材を取り外すためには、まず包装用シートを開封し、さらに複数の構成部材の少なくとも一つが開放された状態とする必要がある。よって、パチロット機本体が包装用シートによって包装された状態では、突起部材を取外すことができないので、包装用シートの不正な取外しの防止をより確実に図ることができる。さらに、パチロット機が遊技ホール等に納入された後、突起部材を取り外してシート取外し防止用突起の無い状態とすることができるので、パチロット機の設置作業及び設置後の遊技を支障なく行うことができる。
【発明の効果】
【００４５】
本発明によれば、熱収縮によって遊技機本体外周に密着した包装用シートを遊技機からずらして取り外そうとする際に、シート取外し防止用突起によって包装用シートが係止されることにより包装用シートの不正な取外しが確実に防止される。よって、包装用シートの一部を切断する等のシートに開封時の痕跡が残る作業以外では包装の開封が不可能となり、遊技機における不正改造の未然防止が図られると共に、不正改造が行われた場合にはシート開封時の痕跡によって確実に発見することができる。また、シート取外し防止用突起を構成する突起部材は、複数の構成部材の少なくとも一つが開放された状態でのみ取外し可能であるので、突起部材を取り外すためには、まず包装用シートを開封し、さらに複数の構成部材の少なくとも一つが開放された状態とする必要がある。よって、遊技機本体が包装用シートによって包装された状態では、突起部材を取外すことができないので、包装用シートの不正な取外しの防止をより確実に図ることができる。また、遊技機が遊技ホール等に納入された後、突起部材を取り外してシート取外し防止用突起の無い状態とすることができるので、遊技機の設置作業及び設置後の遊技を支障なく行うことができる。
【発明を実施するための最良の形態】
【００４６】
以下、本発明の遊技機の各実施形態について、図面を参照しつつ説明する。最初に、第一の実施形態における遊技機Ｐ１の概略構成について図１乃至図４を参照しつつ説明する。遊技機Ｐ１は、図１乃至図４に示すように、外枠１０、本体枠２０、遊技板３０、前面枠６０及び機構板８０を備えて構成されるパチンコ機である。なお、図１は遊技機Ｐ１を正面から見て示す正面図であり、図２は図１の遊技機Ｐ１を上面から見て示す上面図であり、図３は図１の遊技機Ｐ１を背面から見て示す背面図であるが、実際の出荷時にはガラス枠６１の背面に段ボール紙製の遊技板保護材９０が挿入されており、遊技領域３１は隠れた状態となっている（図１２参照）。また、図４は、本体枠２０を外枠１０に対して開放すると共に、前面枠６０を本体枠２０に対して開放した状態を示す遊技機Ｐ１の斜視図である（但し、図４では遊技板３０は省略されている）。尚、外枠１０、本体枠２０、前面枠６０及び機構板８０が、本発明における開閉可能に設けられた複数の構成部材を構成するものである。
【００４７】
外枠１０は、遊技機Ｐ１のベースとなる枠であり、板材により全体として矩形状に構成され、矩形板状の本体枠２０よりも僅かに大きいサイズの矩形開口１０ａを有している。また、出荷時には、外枠１０の左側面上下及び右側面上下の４箇所に、長さ十数ｃｍ程度の細長い板状の突起部材１１がそれぞれ取り付けられ、遊技機Ｐ１上部の左右両側にて数ｃｍ程度前方側へ突出するシート取外し防止用突起１０ｂ，１０ｂ、同じく背面側へ突出するシート取外し防止用突起１０ｃ，１０ｃ、遊技機Ｐ１下部の左右両側にて数ｃｍ程度前方側へ突出するシート取外し防止用突起１０ｄ，１０ｄ、同じく背面側へ突出するシート取外し防止用突起１０ｅ，１０ｅがそれぞれ形成されている。また、上部のシート取外し防止用突起１０ｂ，１０ｂ，１０ｃ，１０ｃは、後述する役物カバー８５よりも上方に設けられ、背面側のシート取外し防止用突起１０ｃ，１０ｃの下端が、役物カバー８５上端に対して上側から近接する位置関係となっている。一方、下部のシート取外し防止用突起１０ｄ，１０ｄ，１０ｅ，１０ｅは、後述する払出制御基板ボックス８６よりも下方に設けられ、背面側のシート取外し防止用突起１０ｅ，１０ｅの上端が、払出制御基板ボックス８６下端に対して下側から近接する位置関係となっている。
【００４８】
また、突起部材１１は、図４の分解斜視図に示すように、外枠１０の内側から取り付けネジ１２によって締結固定されている。以下、突起部材１１の取り付け構造の詳細について、図５を参照しつつ説明する。尚、図５は図３におけるＡ−Ａ線矢視方向におけるシート取外し防止用突起１０ｂ，１０ｃ付近の拡大断面図であり、（ａ）は本体枠２０が外枠１０側へ閉じた状態を、（ｂ）は本体枠２０が外枠１０に対して開放された状態で取り付けネジ１２が取り外される様子をそれぞれ表わしている。取り付けネジ１２は、外枠１０の内側から挿通孔１０ｆに挿通され、突起部材１１に形成されたネジ孔１１ａに螺合される。また、図５（ａ）に示すように、本体枠２０が外枠１０側へ閉じた状態では、本体枠２０及び機構板８０上の遊技球タンク８１が、外枠１０の内側にて露出するネジ頭１２ａに近接した位置で対向しているため、ドライバの先端をネジ頭１２ａに差し込むことはできず、取り付けネジ１２を弛めて突起部材１１を取り外すことは不可能である。一方、図５（ｂ）に示すように、本体枠２０が外枠１０に対して開放された状態では、外枠１０内側のネジ頭１２ａ付近が本体枠２０等によって遮られることがないため、ドライバを用いて取り付けネジ１２を弛めることができ、これにより突起部材１１を取り外すことができる。従って、遊技機Ｐ１が遊技ホール等に納入されると、まず、包装用シートＳを開封し、さらに本体枠２０を外枠１０に対して開放した状態で４個の突起部材１１を取り外した後に、遊技機Ｐ１の設置作業が行われる。
【００４９】
本体枠２０は、遊技板３０が取り付けられる枠であり、図１において矩形開口１０ａの左端にて枢支されており、図示しない回転軸を中心に回動し、外枠１０に対して開閉可能かつ着脱可能に装着される。また、本体枠２０の前面下部２０ａは、合成樹脂、より具体的には、ＡＢＳ（アクリロニトリル−ブタジエン−スチレン）樹脂等の熱可塑性樹脂により構成されている。
【００５０】
遊技板３０は、前面では、図１において下端中央から右巻きに概略一回転する外枠レールに取り囲まれる略円形の領域が遊技球を流下させる遊技領域３１となっている。この遊技領域３１には、多数の釘や、複数の入賞口や、入賞しなかった遊技球をアウト球として回収するアウト球回収口や、遊技の状況を表示する表示装置などが配設されている。
【００５１】
前面枠６０は、遊技板３０の前面側に設けられる合成樹脂製の枠であり、図１において本体枠２０の左端にて枢支される。前面枠６０には、遊技領域３１を臨むガラス板が嵌め込まれるガラス枠６１、ガラス枠６１の周囲を取り囲むように配置される装飾ランプ６２、上皿６３が設けられており、遊技板３０の前面側となるように本体枠２０に取り付けられる。装飾ランプ６２は、図示しない電球と、電球を覆うように取り付けられ、電球の光を透過可能な合成樹脂製のランプカバー６２ａとから構成される。また、上皿６３は、払い出された遊技球及び遊技者が投入した遊技球を発射機構４０へ供給する樹脂からなる受皿部材である。本体枠２０の下部には、遊技球の発射機構４０と、概略矩形形状に形成された樹脂製流路板５０とが取り付けられる。また、流路板５０の前面側にて下皿７０が本体枠２０下部に枢支されて取り付けられる。下皿７０は、上皿６３より誘導された遊技球を受けて貯留する樹脂からなる受皿部材である。さらに、本体枠前面下部２０ａには、発射機構４０の一部を構成する発射ハンドル４１が取り付けられる。発射ハンドル４１は、合成樹脂により構成され、遊技球を発射するために遊技者の手により回動操作される。
【００５２】
機構板８０は、合成樹脂により構成されており、本体枠２０の背面側に設けられたヒンジ金具により支持されて開閉可能に取り付けられる。同機構板８０は、遊技板３０を背面側から覆うカバーの役割を果たすとともに、遊技球タンク８１に貯留された遊技球を上皿６３や下皿７０に払い出す遊技球の流路としての役割も果たすようになっている。遊技球タンク８１は、遊技機背面の機構板８０上部に設けられて払い出し用の遊技球を貯留する樹脂からなるタンク部材である。
【００５３】
本体枠２０背面の上下方向中央から上部には、図示しないＬＥＤ基板、ランプ制御基板、音声制御基板、液晶パネル制御基板、図柄制御基板、図柄情報基板等が設けられ、機構板８０にはこれらの基板を覆うように、透明の合成樹脂からなる役物カバー８５が設けられている。また、本体枠２０背面の役物カバー８５によって覆われるＬＥＤ基板等の下方には、透明の合成樹脂からなる主制御基板ボックスとしてのメイン基板ボックス８２が設けられており、同基板ボックス８２には遊技板の種類に応じたＲＯＭ８３や図示しないＣＰＵやＲＡＭ等を備えて遊技機の主制御を行う主制御基板としてのメイン基板８４が収容されている。また、本体枠２０背面のメイン基板ボックス８２の下方には、透明の合成樹脂からなる払出制御基板ボックス８６が設けられており、同基板ボックス８６には遊技球の払出し制御を行う払出制御基板８７が収容されている。
【００５４】
次に、遊技機Ｐ１の熱収縮包装に用いる包装装置１０１の構成について図６及び図７を参照しつつ説明する。ここで、図６は、包装装置１０１の全体構成を示す正面図であり、図７は、遊技機Ｐ１が第１コンベア装置１１３によって搬送される状態を示す包装装置１０１の平面図である。尚、図６は、遊技機Ｐ１は遊技機背面側を正面とする横向きの起立状態で搬送される状態を表わしており、図７では、機枠１１５，支柱１２５等の図示を省略している（図９も同様）。
【００５５】
包装装置１０１は、図６に示されるように、シート被着機構１１１と、熱処理機構１５１と、シート被着機構１１１及び熱処理機構１５１の各部と電気的に接続され、装置全体の動作制御を行う制御装置１９１とから構成される。以下、シート被着機構１１１及び熱処理機構１５１の詳細構成について順に説明する。
【００５６】
シート被着機構１１１は、遊技機Ｐ１の制御を行う部分の少なくとも一部を覆うように、包装用シートＳを遊技機Ｐ１の外周に被着するための装置であり、図６及び図７に示されるように、シート供給機構１１２と、第１コンベア装置１１３と、熱溶着切断機構１１４とから構成されている。
【００５７】
シート供給機構１１２には、機枠１１５の上流側端部近傍に第１コンベア装置１１３を挟んで一対の回転軸１１６，１１６が回転自在に立設されている。そして、回転軸１１６，１１６に、包装用シートＳを巻き込んだシートロールＲの中空軸をそれぞれ嵌め込むことにより、一対のシートロールＲ，Ｒが縦置きで回転自在に設けられる。
【００５８】
ここで、包装用シートＳは、熱可塑性材料、好ましくは、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロン等の熱可塑性樹脂からなる長尺状のシートである。包装用シートＳの幅は、役物カバー８５、メイン基板ボックス８２及び払出し制御基板ボックス８６の全体を覆うことができるように、役物カバー８５の上端から払出し制御基板ボックス８６下端までの長さよりも若干長く設定されることが好ましい。
【００５９】
また、送りローラ１１７，１１７及び１１８，１１８は、シートロールＲ，Ｒの下流側近傍に設けられ、一方の送りローラ１１８，１１８を図示しないモータ制御装置により回転駆動するように設けられている。また、複数（図７では３個）の中間ローラ１１９，１１９、及び第１コンベア装置１１３の下流側端部近傍に設けられた一対のガイドローラ１２０，１２０は、それぞれ回転自在に設けられている。そして、シート供給機構１１１は、図７に示すように、送りローラ１１７，１１７及び１１８，１１８が図示しないモータ装置の回転制御によってシートロールＲからシートＳを繰り出し、中間ローラ１１９を経てガイドローラ１２０側に供給する。  
【００６０】
第１コンベア装置１１３は、公知のベルトコンベア装置であり、横向き起立姿勢の遊技機Ｐ１を上流側から搬入する。第１コンベア装置１１３は、図示しない電動モータにより駆動される駆動ローラ軸１２１を回転自在に設け、その駆動ローラ軸１２１に細長い搬送フレーム１２２の一端部を相対回転可能に設ける。そして、その搬送フレーム１２２の下流側端部のローラ１２３と駆動ローラ軸１２１とに無端状の搬送ベルト１２４が掛け渡され、その搬送ベルト１２４上に載置された遊技機Ｐ１を装置下流側へ搬送する。
【００６１】
熱溶着切断機構１１４は、シート供給機構１１２から供給されるシートＳ，Ｓを、遊技機Ｐ１の搬送方向前方側及び後方側でそれぞれ重ね合わせて縦方向に熱溶着し且つ溶着箇所の中間で切断する装置である。熱溶着切断機構１１４は、第１コンベア装置１１３の下流側端部近傍に設けられ、図７に示すように、第１コンベア装置１１３を挟んで左右両側の支柱１２５，１２５に、上下に配置されたガイドロッド１２６が水平方向に進退自在に設けられ、その支柱１２５に取り付けた空圧シリンダ１２７のロッドの先端部が、それらのガイドロッド１２６先端のベース部分に固定する。対向状に配置された一方のベース部分には、２列の縦長の熱溶着バー１２９を取り付け、他方のベース部分に取り付けた熱溶着バー１３１の内面に切断用ヒーター線１３２を縦方向に張設する。そして、一対の熱溶着バー１２９，１３１は、各空圧シリンダ１２７，１２７により開閉自在に設けられ、それら熱溶着バー１２９，１３１を閉じて包装用シートＳに熱溶着を施すと共に、その溶着箇所の中間を切断用ヒーター線１３２により切断するように構成される。
【００６２】
熱処理機構１５１は、第２コンベア装置１５２と、第３コンベア装置１５３と、熱風発生装置１５４と、第１送風管１６１〜第８送風管１６８と、第１ノズル１７１〜第８ノズル１７８とから構成されている。
【００６３】
第２コンベア装置１５２は、第１コンベア装置１１３の装置下流側に設けられ、遊技機Ｐ１を熱溶着切断位置Ｈ１から熱処理位置Ｈ３まで搬送するために設けられた公知のベルトコンベア装置である。
第３コンベア装置１５３は、第２コンベア装置１５２の下流側に設けられ、熱処理位置Ｈ３から下流側へ搬送するために設けられた公知のベルトコンベア装置である。尚、第２コンベア装置１５２及び第３コンベア装置１５３は、第１コンベア装置１１３と同様の構成であるので、詳細説明を省略する。
【００６４】
熱風発生装置１５４は、図示しない電動ファンとヒータとを内蔵して熱風を発生する装置であり、発生した熱風を送出するための第１送風管１６１〜第８送風管１６８が接続されおり、第１送風管１６１〜第８送風管１６８の先端に第１ノズル１７１〜第８ノズル１７８が設けられている。従って、熱風発生装置１５４は、電動ファンを駆動させることにより周囲から吸い込まれた空気がヒータによって熱せられ、第１送風管１６１〜第８送風管１６８へ送出されて、第１ノズル１７１〜第８ノズル１７８から熱風として吹き出すようになっている。
【００６５】
ここで、第１ノズル１７１〜第８ノズル１７８の配設位置について説明する。第１ノズル１７１〜第２ノズル１７２は、遊技機Ｐ１の搬送方向において、第２コンベア装置１５２の上流側端部からやや下流寄りの位置（予備熱処理位置Ｈ２）に、第３ノズル１７３〜第８ノズル１７８は、第２コンベア装置１５２の下流側端部と第３コンベア装置１５３の上流側端部との間の位置（熱処理位置Ｈ３）にそれぞれ設けられる。
【００６６】
そして、第１ノズル１７１は、遊技機Ｐ１が第２コンベア装置１５２上を搬送される状態において、遊技機Ｐ１前面側上部に向かって熱風を吹きつけ可能な位置に設けられる。また、同様の状態で、第２ノズル１７２は、遊技機Ｐ１背面側上部に向かって熱風を吹きつけ可能な位置に設けられる。
【００６７】
第３ノズル１７３は、遊技機Ｐ１が第２コンベア装置１５２上から第３コンベア装置１５３上へ搬送される状態において、遊技機Ｐ１の前面上部に向かって熱風を吹きつけ可能な位置に設けられ、同様の状態において、第４ノズル１７４は、遊技機Ｐ１前面上下方向中間に向かって、第５ノズル１７５は、遊技機Ｐ１前面下部に向かってそれぞれ熱風を吹きつけ可能な位置に設けられる。
【００６８】
一方、第６ノズル１７６は、遊技機Ｐ１が第２コンベア装置１５２から第３コンベア装置１５３にかけて搬送される状態において、遊技機Ｐ１の背面上部に向かって熱風を吹きつけ可能な位置に設けられ、同様の状態において、第７ノズル１７７は、遊技機Ｐ１の背面上下方向中間に向かって、第８ノズル１７８は、遊技機Ｐ１の背面下部に向かってそれぞれ熱風を吹きつけ可能な位置に設けられる。
【００６９】
尚、熱風発生装置１５４は、第１送風管１６１〜第２送風管１６２を介して第１ノズル１７１〜第２ノズル１７２へ送出される熱風の温度と、第３送風管１６３〜第８送風管１６８を介して第３ノズル１７３〜第８ノズル１７８へ送出される熱風の温度とを制御装置１９１において個別に設定可能に構成されている。すなわち、予備熱処理位置Ｈ２に設けられた第１ノズル１７１〜第２ノズル１７２から吹き出される熱風の温度は、例えば、１５０℃程度に設定され、熱処理位置Ｈ３に設けられた第３ノズル１７３〜第８ノズル１７３から吹き出される熱風の温度は、例えば、３００℃程度に設定される。ここで、第１〜第２ノズル１７１〜１７２から吹き出される熱風の温度が相対的に低く設定されるのは、予備熱処理位置Ｈ２における熱風の吹きつけは、遊技機Ｐ１に緩く巻きつけられた包装用シートＳがずり落ちない程度に熱収縮させればよいため比較的低温で十分だからである。一方、第３ノズル１７３〜第８ノズル１７８から吹き出される熱風の温度が相対的に高く設定されるのは、熱処理位置Ｈ３における熱風の吹きつけは、包装用シートＳを十分に熱収縮させて遊技機Ｐ１に強固に密着させるため、ある程度高温とする必要があるからである。
【００７０】
次に、包装装置１０１により遊技機Ｐ１に熱収縮包装を実施する際における作用について図６〜図１０を参照しつつ説明する。遊技機Ｐ１の組み立てが完了すると、遊技機Ｐ１のガラス枠６１に遊技板保護材９０が装着される。そして、遊技板保護材９０が装着された遊技機Ｐ１が本装置１０１の上流側から第１コンベア装置１１３へ投入され、搬送ベルト１２４上に載置された遊技機Ｐ１が第１コンベア装置１１３の下流側端部まで搬送されると、包装用シートＳ，Ｓは熱溶着切断機構１１４の一対の熱溶着バー１２９，１３１が閉じることによって熱溶着が施され、同時に熱溶着部分の中間が切断用ヒータ線１３２によって切断される（図７参照）。これにより、当該遊技機Ｐ１を包装するための包装用シートＳ，Ｓが、先行して搬送される遊技機を包装するための包装用シートから分離される。そして、熱溶着により接合され且つガイドローラ１２０，１２０によって張設された包装用シートＳ，Ｓが、遊技機Ｐ１の搬送方向先端側の側面に当接し、遊技機Ｐ１が搬送ベルト１２４上を搬送されるのに伴って、包装用シートＳ，Ｓがシート供給機構１１２を介してシートロールＲ，Ｒからそれぞれ繰り出されて遊技機Ｐ１側へ供給されることにより、遊技機Ｐ１の前面側及び背面側が包装用シートＳ，Ｓによって徐々に覆われていく。
【００７１】
このとき、遊技機Ｐ１外周に緩く巻きつけられた包装用シートＳの上部は、予備熱処理位置Ｈ２を通過する際に、所定温度（例えば、約１５０℃）の熱風が第１ノズル１７１から前面枠６０上部に対して、第２ノズル１７２から遊技機Ｐ１背面上部に対してそれぞれ吹きつけられることにより収縮する。尚、以下の説明において、包装用シートＳへの第１ノズル１７１及び第２ノズル１７２による熱風の吹きつけを「予備熱処理」と称し、後述する第３ノズル１７３〜第８ノズル１７８による熱風の吹きつけを単に「熱処理」と称することにより、両者を区別することとする。図８は、当該遊技機Ｐ１に巻きつけられた包装用シートへ予備熱処理が施される様子を表わす搬送方向前方側から視た図である。
【００７２】
遊技機Ｐ１が第１コンベア装置１１３上から第２コンベア装置１５２上へ移り、遊技機Ｐ１の搬送方向後方側の側面が熱溶着位置Ｈ１を通過すると、包装用シートＳ，Ｓは熱溶着機構１１４の一対の熱溶着バー１２９，１３１が閉じることによって遊技機Ｐ１の搬送方向後方側で熱溶着が施され、同時に熱溶着部分の中間が切断用ヒータ線１３２によって切断されることにより筒状に成形される。ここで、遊技機Ｐ１外周に緩く巻きつけられた包装用シートＳの上部は、予備熱処理位置Ｈ２を通過する際に、第１ノズル１７１及び第２ノズル１７２からの熱風の吹きつけによる予備熱処理によって収縮するため、包装用シートＳ，Ｓが切断されてシートロールＲ側の包装用シートＳ，Ｓから分離されても下方へずり落ちることはない。
【００７３】
次に、第２コンベア装置１５２により遊技機Ｐ１が熱処理位置Ｈ３へ搬送されると、図９に示すように、第２コンベア装置１５２及び／又は第３コンベア装置１５３によって遊技機Ｐ１が搬送されながら、第３ノズル１７３〜第８ノズル１７８から遊技機Ｐ１へ被着された包装用シートＳへ所定温度（例えば、約３００℃）の熱風が吹きつけられる。そして、包装用シートＳの熱風が吹きつけられた箇所が熱収縮することにより、包装用シートＳが遊技機Ｐ１本体外周へ略密着する。図１０は、当該遊技機Ｐ１に巻きつけられた包装用シートＳへ熱処理が施される様子を表わす搬送方向前方側から視た図である。
【００７４】
具体的には、図１０に示されるように、第３ノズル１７３が、前面枠６０前面上部に対して、第４ノズル１７４が、上皿６３を含む前面枠６０下部に対して、第５ノズル１７５が下皿７０、発射ハンドル４１を含む本体枠前面下部２０ａに対して、第６ノズル１７６が遊技機Ｐ１背面上部の役物カバー８５上縁部に対して、第７ノズル１７７が遊技機Ｐ１背面上下方向中間のメイン基板ボックス８２下部及び払出制御基板ボックス８６上部に対して、第８ノズル１７８が、遊技機Ｐ１背面下部の払出制御基板ボックス８６下縁部に対してそれぞれ熱風を吹きつけることにより、包装用シートＳが熱収縮して遊技機Ｐ１に略密着する。
【００７５】
次いで、遊技機Ｐ１は第３コンベア装置１５３により下流側へ搬送される間に常温で冷却されて包装用シートＳの熱収縮部分が硬化するので、包装用シートＳの遊技機Ｐ１への略密着状態が保たれる。以上により、包装装置１０１による遊技機Ｐ１への包装が完了する。
【００７６】
図１１は、熱収縮包装が完了した遊技機Ｐ１の側面図であり、図１２は、同じく遊技機Ｐ１を前面側から視た斜視図である。図１１及び図１２より、熱収縮した包装用シートＳは、遊技機Ｐ１本体上部に設けられたシート取外し防止用突起１０ｂ，１０ｂ，１０ｃ，１０ｃよりも下方且つ遊技機Ｐ１本体下部に設けられたシート取外し防止用突起１０ｄ，１０ｄ，１０ｅ，１０ｅよりも上方において、遊技機Ｐ１本体の外周の段差形状に沿って略密着していることがわかる。
【００７７】
以上詳述したことから明らかなように、本実施形態によれば、熱収縮によって遊技機Ｐ１外周に密着した包装用シートＳを遊技機Ｐ１からずらして取り外そうとする際に、包装用シートＳによって覆われる所定領域（役物カバー８５から払出制御基板ボックス８６までの領域）の外側に設けられたシート取外し防止用突起１０ｂ等に包装用シートＳが当接して係止されることにより包装用シートＳの不正な取外しが確実に防止される。よって、包装用シートＳの一部を切断する等のシートに開封時の痕跡が残る作業以外では包装の開封が不可能となり、パチンコ機である遊技機Ｐ１における不正改造の未然防止が図られると共に、不正改造が行われた場合にはシート開封時の痕跡によって確実に発見することができる。特に、包装用シートＳによって覆われる所定領域内に設けられた遊技機の制御に関連する部分、すなわち、役物カバー８５に覆われるＬＥＤ基板、ランプ制御基板、音声制御基板、液晶パネル制御基板、図柄制御基板、図柄情報基板等、メイン基板ボックス８２に収容されるメイン基板８４、払出制御基板ボックス８６に収容される払出制御基板８７への不正改造の未然防止及び不正改造発見の容易化を図ることができる。
【００７８】
また、シート取外し防止用突起１０ｂ等を構成する突起部材１１は外枠１０に取り付けられ、且つ外枠１０の内側から取り付けネジ１２によって固定されているので、突起部材１１を取り外すためには、まず包装用シートＳを開封し、さらに本体枠２０が外枠１０に対して開放された状態とする必要がある。よって、遊技機Ｐ１本体が包装用シートＳによって包装された状態では、突起部材１１を取外すことができないので、包装用シートＳの不正な取外しの防止をより確実に図ることができる。また、遊技機Ｐ１が遊技ホール等に納入された後、包装用シートＳを開封し、さらに本体枠２０を外枠１０に対して開放した状態で４個の突起部材１１を取り外し、シート取外し防止用突起１０ｂ等の無い状態とすることができるので（図１３参照）、遊技機Ｐ１の設置作業及び設置後の遊技を支障なく行うことができる。尚、図１３は、包装用シートＳ及び各突起部材１１を取り外した状態を示す遊技機Ｐ１の斜視図である。
【００７９】
また、包装用シートＳによって覆われる所定領域を挟む上下両側の領域に各シート取外し防止用突起部１０ｂ等が設けられているので、包装用シートＳを上下いずれの方向にずらした場合にも不正な取外しが防止される。特に、シート取外し防止用突起１０ｃ，１０ｃの下端は役物カバー８５上端に、シート取外し防止用突起１０ｅ，１０ｅの上端は払出制御基板ボックス８６下端にそれぞれ近接した位置あるため、包装用シートＳの上下方向への移動が確実に禁止される。また、シート取外し防止用突起１０ｂ等は外枠１０の左右両側に設けられているので、包装用シートＳが一対のシート取外し防止用突起１０ｂ等によって同時に係止されて不正な取外しがより確実に防止される。
【００８０】
次に、本実施形態に関する第一の変形例について図１４を参照しつつ説明する。本変形例は、シート取外し防止用突起８０ａ，８０ａを構成する突起部材１３が、本体枠２０に対して機構板８０が開放された状態でのみ取外し可能であることを特徴とする。すなわち、側面視Ｌ字形の突起部材１３は、機構板８０の遊技機Ｐ１背面側の左右２箇所に取り付けられると共に、機構板８０を本体枠２０側へ閉じた状態で内側となる位置（つまり、機構板８０の本体枠２０に対向する面）で取り付けネジ１２によってそれぞれ締結固定される。本変形例によれば、突起部材１３を取り外すためには、まず包装用シートＳを開封し、さらに機構板８０を本体枠２０に対して開放することが必要とされ、包装された遊技機Ｐ１本体における突起部材１３の取外しを確実に防止することができる。
【００８１】
次に、第二の変形例について図１５を参照しつつ説明する。本変形例は、シート取外し防止用突起６０ａ，６０ａ，６０ｂ，６０ｂを構成する突起部材１４が、本体枠２０に対して前面枠６０が開放された状態でのみ取外し可能に取り付けられたことを特徴とする。すなわち、側面視Ｌ字形の突起部材１４は、前面枠６０の遊技機Ｐ１前面側の上部左右及び下部左右の４箇所に取り付けられると共に、前面枠６０を本体枠２０側へ閉じた状態で内側となる位置（つまり、前面枠６０の本体枠２０に対向する面）で取り付けネジ１２によって締結固定される。本変形例によれば、突起部材１４を取り外すためには、まず包装用シートＳを開封し、さらに前面枠６０を本体枠２０に対して開放することが必要とされ、包装された遊技機Ｐ１本体における突起部材１４の取外しを確実に防止することができる。
【００８２】
次に、第三の変形例について図１６を参照しつつ説明する。本変形例は、第二の変形例と同様にシート取外し防止用突起を構成する突起部材が、本体枠２０に対して前面枠６０が開放された状態でのみ取外し可能に取り付けられたものであって、特に、突起部材を本体枠２０に取り付けたものである。すなわち、シート取外し防止用突起２０ｂ，２０ｂ，２０ｃ，２０ｃを構成する長方形板状の突起部材１５，１５は本体枠２０の上面に、シート取外し防止用突起２０ｄ，２０ｅを構成する突起部材１６は本体枠２０の下部側面にそれぞれ取り付けられると共に、前面枠６０を本体枠２０側へ閉じた状態で内側となる位置で取り付けネジ１２によってそれぞれ締結固定される。本変形例によれば、突起部材１５，１５，１６を取り外すためには、まず包装用シートＳを開封し、さらに前面枠６０を本体枠２０に対して開放することが必要とされ、包装された遊技機Ｐ１本体における突起部材１５等の取外しを確実に防止することができる。
【００８３】
次に、本発明の第二の実施形態について、図１７乃至図２２を参照しつつ説明する。第二の実施形態における遊技機Ｐ２は、スロットマシンであり、図１７に示すように、正面側に開口すると共に、複数種類の図柄が表示された複数（３個）の回転リール２２１が収容される本体キャビネット２２０と、本体キャビネット２２０の前面を覆うように開閉可能に取り付けられ、各回転リール２２１の図柄を視認可能な表示窓を設けたフロントパネル２６０とを備えている。尚、本体キャビネット２２０及びフロントパネル２６０が、本発明における開閉可能に設けられた複数の構成部材を構成するものである。
【００８４】
本体キャビネット２２０は、天板、左右の側板、底板、裏板などから構成され、例えば、薄板板金素材を切断、孔あけ、曲げ加工等して所定のパネル形状に加工した後、これ等の部材を溶接して図示する正面側に開口する箱状に形成される。また、図１８の側面図及び図１９の背面図に示すように、出荷時には、本体キャビネット２２０の背面の上下左右４箇所に直方体状の突起部材２２２がそれぞれ取り付けられ、上部の左右両側にシート取外し防止用突起２２０ａ，２２０ａが、下部の左右両側にシート取外し防止用突起２２０ｂ，２２０ｂがそれぞれ形成されている。また、上部のシート取外し防止用突起２２０ａ，２２０ａは、包装用シートＳによって覆われる所定領域よりも上方に設けられ、下部のシート取外し防止用突起２２０ｂ，２２０ｂは、上記所定領域よりも下方に設けられている。
【００８５】
また、突起部材２２２は、図２０に示すように、雄ネジが螺刻された取り付け軸２２２ａを設け、本体キャビネット２２０内側においてナット２２３の締結により固着されている。尚、図２０は図１９におけるＢ−Ｂ線矢視方向におけるシート取外し防止用突起２２０ａ付近の拡大断面図であり、（ａ）は突起部材２２２が本体キャビネット２２０へ固定された状態を、（ｂ）は突起部材２２２を取り外した状態をそれぞれ表わしている。フロントパネル２６０が本体キャビネット２２０側へ閉じた状態では、本体キャビネット２２０の内側にて締結されたナット２２３が外部に露出していないので、ナット２２３を弛めることはできない。一方、フロントパネル２６０が本体キャビネット２２０に対して開放された状態では、図２０（ｂ）に示すように、ナット２２３を弛めて突起部材２２２を取り外すことができる。
【００８６】
フロントパネル２６０は、合成樹脂の成型加工によって、本体キャビネット２２０の開口部分を覆う扉状に形成される。フロントパネル２６０には、本体キャビネット２２０に収容された左・中・右の回転リール２２１の前面側に対向する位置に、ガラスが嵌め込まれた表示窓２６３が設けられ、各回転リール２２１に表示された図柄が視認可能となっている。フロントパネル２６０上部には装飾ランプ２６２が設けられている。装飾ランプ２６２は、図示しない電球と、電球を覆うように取り付けられ、電球の光を透過可能な合成樹脂製のランプカバー２６２ａとから構成される。
【００８７】
表示窓２６３の下方には、前方に突出する台状の操作部２６４が設けられている。この操作部２６４の上面には、クレジットされている遊技メダルを投入するためのベットスイッチや、クレジットされているメダルを払い出すためのキャンセルスイッチ等を含む各種スイッチ２６５、及び遊技メダルを投入するためのメダル投入口２６６が設けられている。また、操作部２６４の前面には、回転リール２２１の回転起動操作を行うスタートレバー２６７、及び左・中・右の回転リール２２１にそれぞれ対応して設けられたストップスイッチ２６８が設けられている。ここで、各種スイッチ２６５、スタートレバー２６７の先端に設けられた握り部２６７ａ及びストップスイッチ２６８は、それぞれ合成樹脂により構成されている。
【００８８】
フロントパネル２６０上部の装飾ランプ２６２と表示窓２６３との間の領域には、入賞図柄の説明が表示された化粧パネル２７１が、フロントパネル２６０上下方向中央に設けられた操作部２６４の下方の領域には、遊技機Ｐ２の機種名称等が描かれた化粧パネル２７２がそれぞれ取り付けられており、これらの化粧パネル２７１，２７２は合成樹脂により構成されている。
【００８９】
フロントパネル２６０の下部には、各回転リール２２１の回転停止時の図柄の組合わせに基づく入賞態様に応じて払い出された遊技メダルを受けて貯留するメダル受皿２７０が設けられている。メダル受皿２７０は、合成樹脂の成型加工により上面が開口する箱状に形成されている。
【００９０】
次に、包装装置１０１により遊技機Ｐ２に熱収縮包装を実施する場合において、遊技機Ｐ２へ被着された包装用シートＳへ、第３ノズル１７３〜第８ノズル１７８から所定温度（例えば、約３００℃）の熱風が吹きつけられる際の作用について説明する。図２１は、当該遊技機Ｐ２に巻きつけられた包装用シートＳへ熱処理が施される様子を表わす搬送方向前方側から視た図である。また、図２２は、熱収縮包装が完了した遊技機Ｐ２の背面図である。図２１及び図２２に示されるように、遊技機Ｐ２に被着された包装用シートＳにおいて、第３ノズル１７３が、遊技機Ｐ２前面上部に対して、第４ノズル１７４が、遊技機Ｐ２前面の操作部２６４上部に対して、第５ノズル１７５が同じく操作部２６４下部に対して、第６ノズル１７６が本体キャビネット２２０背面の上端近傍に対して、第７ノズル１７７が本体キャビネット２２０背面の上下方向中央に対して、第８ノズル１７８が、本体キャビネット２２０背面の下端近傍に対してそれぞれ熱風を吹きつけることにより、包装用シートＳのそれぞれの箇所が熱収縮して、遊技機Ｐ２のシート取外し防止用突起２２０ａ，２２０ａよりも下方且つシート取外し防止用突起２２０ｂ、２２０ｂよりも上方の領域に略密着する。
【００９１】
以上詳述したことから明らかなように、本実施形態によれば、熱収縮によって遊技機Ｐ２外周に密着した包装用シートＳを遊技機Ｐ２からずらして取り外そうとする際に、包装用シートＳによって覆われる所定領域の外側に設けられたシート取外し防止用突起２２０ａ，２２０ａ，２２０ｂ，２２０ｂに包装用シートＳが当接して係止されることにより包装用シートＳの不正な取外しが確実に防止される。よって、包装用シートＳの一部を切断する等のシートに開封時の痕跡が残る作業以外では包装の開封が不可能となり、スロットマシンである遊技機Ｐ２における不正改造の未然防止が図られると共に、不正改造が行われた場合にはシート開封時の痕跡によって確実に発見することができる。
【００９２】
また、シート取外し防止用突起２２０ａ等を構成する突起部材２２２は本体キャビネット２２０に取り付けられ、且つ本体キャビネット２２０の内側からナット２２３によって固定されているので、突起部材２２２を取り外すためには、まず包装用シートＳを開封し、さらにフロントパネル２６０が本体キャビネット２２０に対して開放された状態とする必要がある。よって、遊技機Ｐ２本体が包装用シートＳによって包装された状態では、突起部材２２２を取外すことができないので、包装用シートＳの不正な取外しの防止をより確実に図ることができる。さらに、遊技機Ｐ２が遊技ホール等に納入された後、突起部材２２２を取り外し、シート取外し防止用突起２２０ａ等の無い状態とすることができるので、遊技機Ｐ２の設置作業及び設置後の遊技を支障なく行うことができる。
【００９３】
次に、本発明の第三の実施形態について、図２３乃至図２７を参照しつつ説明する。第三の実施形態における遊技機Ｐ３は、複数種類の図柄が表示された複数の回転リールを有し、各回転リールの回転停止時の図柄の組合わせに基づく入賞態様に応じて遊技球が払い出されるパチロット機である。遊技機Ｐ３は、図２３に示すように、正面側に開口すると共に、複数種類の図柄が表示された複数（３個）の回転リール３２１が収容される本体枠３２０と、本体枠３２０の前面を覆うように開閉可能に取り付けられ、各回転リール３２１の図柄を視認可能な表示窓３６３を設けた合成樹脂製のフロントパネル３６０とを備えている。尚、本体枠３２０及びフロントパネル３６０が、本発明における開閉可能に設けられた複数の構成部材を構成するものである。
【００９４】
本体枠３２０の背面側は、図２４に示すように、上述した第一の実施形態の遊技機Ｐ１と略同様の構成となっており、機構板３８０、役物カバー３８５、メイン基板ボックス３８２、払出制御基板ボックス３８６、遊技球タンク３８１が設けられ、これらの各部材が合成樹脂により構成されている。
【００９５】
また、フロントパネル３６０は、上述した第二の実施形態の遊技機Ｐ２のフロントパネル２６０に類似した構成となっており、上から順に装飾ランプ３６２、入賞図柄の説明が表示された化粧パネル３７１、前方に突出する台状の操作部３６４、各回転リール３２１の回転停止時の図柄の組合わせに基づく入賞態様に応じて払い出される遊技球を受けて貯留する遊技球受皿３７０がそれぞれ設けられている。また、操作部３６４の上面には、クレジットされている遊技球を投入するためのベットスイッチや、クレジットされている遊技球を払い出すためのキャンセルスイッチ等を含む各種スイッチ３６５、及び遊技球を投入するための遊技球投入口２６６が設けられている。また、操作部３６４の前面には、回転リール３２１の回転起動操作を行うスタートレバー３６７、及び左・中・右の回転リール３２１にそれぞれ対応して設けられたストップスイッチ３６８が設けられている。そして、装飾ランプ３６２のランプカバー３６２ａ、化粧パネル３７１、各種スイッチ３６５、スタートレバー３６７の先端に設けられた握り部３６７ａ、ストップスイッチ３６８及び遊技球受皿３７０の各部材は合成樹脂により構成されている。
【００９６】
さらに、図２３の正面図及び図２４の側面図に示すように、出荷時には、フロントパネル３６０の前面の上下左右４箇所に円柱状の突起部材３２２がそれぞれ取り付けられ、上部の左右両側にシート取外し防止用突起３６０ａ，３６０ａが、下部の左右両側にシート取外し防止用突起３６０ｂ，３６０ｂがそれぞれ形成されている。また、上部のシート取外し防止用突起３６０ａ，３６０ａは、包装用シートＳによって覆われる所定領域よりも上方に設けられ、下部のシート取外し防止用突起３６０ｂ，３６０ｂは、上記所定領域よりも下方に設けられている。
【００９７】
また、突起部材３２２は、図２５に示すように、雄ネジが螺刻された取り付け軸３２２ａを設け、フロントパネル３６０内側においてナット３２３の締結により固着されている。尚、図２５は図２３におけるＣ−Ｃ線矢視方向におけるシート取外し防止用突起３６０ａ付近の拡大断面図であり、（ａ）は突起部材３２２がフロントパネル３６０へ固定された状態を、（ｂ）は突起部材３２２を取り外した状態をそれぞれ表わしている。フロントパネル３６０が本体枠３２０側へ閉じた状態では、フロントパネル３６０の内側にて締結されたナット３２３が外部に露出していないので、ナット３２３を弛めることはできない。一方、フロントパネル３６０が本体枠３２０に対して開放された状態では、図２５（ｂ）に示すように、ナット３２３を弛めて突起部材３２２を取り外すことができる。
【００９８】
次に、包装装置１０１により遊技機Ｐ３に熱収縮包装を実施する場合において、遊技機Ｐ３へ被着された包装用シートＳへ、第３ノズル１７３〜第８ノズル１７８から所定温度（例えば、約３００℃）の熱風が吹きつけられる際の作用について説明する。図２６は、当該遊技機Ｐ３に巻きつけられた包装用シートＳへ熱処理が施される様子を表わす搬送方向前方側から視た図である。図２７は、熱収縮包装が完了した遊技機Ｐ３の正面図である。そして、図２６及び図２７に示されるように、第３ノズル１７３が、遊技機Ｐ３前面上部に対して、第４ノズル１７４が、遊技機Ｐ３前面の操作部３６４上部に対して、第５ノズル１７５が同じく操作部３６４下部に対して、第６ノズル１７６が遊技機Ｐ３背面上部の役物カバー３８５上縁部に対して、第７ノズル１７７が遊技機Ｐ３背面上下方向中間のメイン基板ボックス３８２下部及び払出制御基板ボックス３８６上部に対して、第８ノズル１７８が、遊技機Ｐ３背面下部の払出制御基板ボックス３８６下縁部に対してそれぞれ熱風を吹きつけることにより、包装用シートＳが熱収縮して遊技機Ｐ３のシート取外し防止用突起３６０ａ，３６０ａよりも下方且つシート取外し防止用突起３６０ｂ、３６０ｂよりも上方の領域に略密着する。
【００９９】
以上詳述したことから明らかなように、本実施形態によれば、熱収縮によって遊技機Ｐ３外周に密着した包装用シートＳを遊技機Ｐ３からずらして取り外そうとする際に、包装用シートＳによって覆われる所定領域の外側に設けられたシート取外し防止用突起３６０ａ，３６０ａ，３６０ｂ，３６０ｂに包装用シートＳが当接して係止されることにより包装用シートＳの不正な取外しが確実に防止される。よって、包装用シートＳの一部を切断する等のシートに開封時の痕跡が残る作業以外では包装の開封が不可能となり、パチロット機である遊技機Ｐ３における不正改造の未然防止が図られると共に、不正改造が行われた場合にはシート開封時の痕跡によって確実に発見することができる。
【０１００】
また、シート取外し防止用突起３６０ａ等を構成する突起部材３２２はフロントパネル３６０に取り付けられ、且つフロントパネル３６０の内側からナット３２３によって固定されているので、突起部材３２２を取り外すためには、まず包装用シートＳを開封し、さらにフロントパネル３６０が本体枠３２０に対して開放された状態とする必要がある。よって、遊技機Ｐ３本体が包装用シートＳによって包装された状態では、突起部材３２２を取外すことができないので、包装用シートＳの不正な取外しの防止をより確実に図ることができる。さらに、遊技機Ｐ３が遊技ホール等に納入された後、突起部材３２２を取り外し、シート取外し防止用突起３６０ａ等の無い状態とすることができるので、遊技機Ｐ３の設置作業及び設置後の遊技を支障なく行うことができる。
【０１０１】
尚、本発明は上述した各実施の形態に限定されるものではなく、本発明の主旨を逸脱しない範囲で種々の変更を施すことが可能である。
例えば、シート取外し防止用突起を形成する突起部材の取り付け位置は、上述した各実施形態に示した態様に限られず、適宜変更して実施することが可能である。要するに、シート取外し防止用突起が着脱可能な突起部材によって構成され、且つ遊技機本体を構成する開閉可能に設けられた複数の構成部材の少なくとも一つが開放された状態でのみ突起部材が取外し可能であればよいのである。具体的には、前記第一の実施形態において、外枠１０の外側面に突起部材１１を取り付けて内側から固定する構造としたが、外枠１０の内側面に突起部材１１を取り付け且つ内側から固定することによりシート取外し防止用突起が背面側にのみ突出する構造としてもよい。
【０１０２】
或いは、図２８に示すように、突起部材１７を本体枠２０に取り付け、且つ本体枠２０を外枠１０側へ閉じた状態で内側となる位置で固定することによりシート取外し防止用突起２０ｂを構成するようにしてもよい。尚、図２８（ａ）は本体枠２０を開放した状態を、（ｂ）は本体枠２０を閉じた状態をそれぞれを示す上面図である。すなわち、上面視Ｌ字形の突起部材１７は、本体枠２０右端に取り付けられると共に、本体枠２０を外枠１０側へ閉じた状態で内側となる位置（つまり、本体枠２０の開閉軸近傍で外枠１０に対向する面）で取り付けネジ１２によって締結固定される。本変形例によれば、突起部材１７を取り外すためには、まず包装用シートＳを開封し、さらに本体枠２０を外枠１０に対して開放することが必要とされ、包装された遊技機Ｐ１本体における突起部材１７の取外しを確実に防止することができる。
【０１０３】
また、前記第一の実施形態の第一の変形例では、シート取外し防止用突起を構成する突起部材を機構板８０に取り付けた例を示したが、図２９に示すように、突起部材１８を本体枠２０に取り付け、且つ機構板８０を本体枠２０側へ閉じた状態で内側となる位置で固定することにより、シート取外し防止用突起２０ｃを構成するようにしてもよい。尚、図２９（ａ）は機構板８０を開放した状態を、（ｂ）は機構板８０を閉じた状態をそれぞれを示す上面図である。すなわち、長方形板状の突起部材１８は、本体枠２０の左端に取り付けられると共に、機構板８０を本体枠２０側へ閉じた状態で内側となる位置（つまり、本体枠２０の機構板８０に対向する面）で取り付けネジ１２によって締結固定される。本変形例によれば、突起部材１８を取り外すためには、まず包装用シートＳを開封し、さらに機構板８０を本体枠２０に対して開放することが必要とされ、包装された遊技機Ｐ１本体における突起部材１８の取外しを確実に防止することができる。
【０１０４】
或いは、図３０に示すように、上面視Ｌ字形の突起部材１９を機構板８０の開閉軸側の側面に取り付け、取り付けネジ１２によって外側から内側に向かって締結固定することにより、シート取外し防止用突起８０ａを構成するようにしてもよい。尚、図３０（ａ）は本体枠２０を開放した状態を、（ｂ）は本体枠２０を閉じた状態をそれぞれを示す上面図である。本変形例では、機構板８０が取り付けられた本体枠２０が外枠１０側へ閉じた状態では、取り付けネジ１２が締結された機構板８０の側面と外枠１０の内側面とが対向するため、取り付けネジ１２を弛めることがができない。従って、突起部材１９を取り外すためには、まず包装用シートＳを開封し、さらに外枠１０に対して本体枠２０を開放することが必要とされ、包装された遊技機Ｐ１本体における突起部材１９の取外しを確実に防止することができる。
【０１０５】
また、前記各実施形態において、シート取外し防止用突起を遊技機本体の前面、側面、背面のいずれの方向に向かって突出するように形成してもよい。さらに、シート取外し防止用突起の突出高さを、包装用シートＳによって覆われる所定領域内で最も突出した箇所よりも高く設定するようにしてもよい。本変形例によれば、熱収縮によって遊技機Ｐ１等の外周に密着した包装用シートＳを遊技機Ｐ１等からずらして取り外そうとする際に、所定領域の外側に設けられたシート取外し防止用突起により確実に当接して係止される。
【０１０６】
また、前記各実施形態において、シート取外し防止用突起を遊技機本体外周において包装用シートによって覆われる所定領域の外側に設けたが、所定領域内に設ける構成としてもよい。本変形例によれば、包装用シートが熱収縮することにより遊技機本体外周の所定領域に密着すると共に、所定領域内に設けられたシート取外し防止用突起に係止されることにより包装用シートの不正な取外しが確実に防止される。
【産業上の利用可能性】
【０１０７】
本発明は、パチンコ機、スロットマシン、パチンコ機とスロットマシンとを融合した遊技機等の不正改造を防止するための包装が必要とされる各種遊技機へ適用可能である。
【図面の簡単な説明】
【０１０８】
【図１】本発明の第一の実施形態の遊技機を示す正面図である。
【図２】図１の遊技機の上面図である。
【図３】図１の遊技機の背面図である。
【図４】本体枠及び前面枠を開放した状態を示す遊技機の分解斜視図である。
【図５】図３におけるＡ−Ａ線断面図であり、（ａ）は本体枠が外枠側へ閉じた状態を、（ｂ）は本体枠が外枠に対して開放された状態をそれぞれ表わす図である。
【図６】遊技機の熱収縮包装に用いる包装装置の正面図である。
【図７】遊技機が包装装置によって熱収縮包装される様子を示す平面図である。
【図８】第１ノズル及び第２ノズルの配設位置及び遊技機に巻きつけられた包装用シートへ予備熱処理が施される様子を表わす搬送方向前方側から視た図である。
【図９】遊技機が包装装置によって包装される様子を示す他の平面図である。
【図１０】第３ノズル〜第８ノズルの配設位置及び遊技機に巻きつけられた包装用シートへ熱処理が施される様子を表わす搬送方向前方側から視た図である。
【図１１】熱収縮包装が完了した遊技機の側面図である。
【図１２】熱収縮包装が完了した遊技機を前面側から視た斜視図である。
【図１３】包装用シート及び突起部材が取り外された遊技機を前面側から視た斜視図である。
【図１４】第一の変形例における機構板の斜視図である。
【図１５】第二の変形例において本体枠及び前面枠を開放した状態を示す遊技機の斜視図である。
【図１６】第三の変形例において本体枠及び前面枠を開放した状態を示す遊技機の斜視図である。
【図１７】第二の実施形態の遊技機を示す正面図である。
【図１８】図１７の遊技機の側面図である。
【図１９】図１７の遊技機の背面図である。
【図２０】図１９におけるＢ−Ｂ線断面図であり、（ａ）は突起部材がナットで固定された状態を、（ｂ）は突起部材を取り外した状態を示す図である。
【図２１】図１７の遊技機に巻きつけられた包装用シートへ熱処理が施される様子を表わす搬送方向前方側から視た図である。
【図２２】熱収縮包装が完了した図１７の遊技機の背面図である。
【図２３】第三の実施形態の遊技機を示す正面図である。
【図２４】図２３の遊技機の側面図である。
【図２５】図２３におけるＣ−Ｃ線断面図であり、（ａ）は突起部材がナットで固定された状態を、（ｂ）は突起部材を取り外した状態を示す図である。
【図２６】図２３の遊技機に巻きつけられた包装用シートへ熱処理が施される様子を表わす搬送方向前方側から視た図である。
【図２７】熱収縮包装が完了した図２３の遊技機の正面図である。
【図２８】本体枠の開閉軸近傍にて突起部材を固定した変形例を示す図であり、（ａ）は本体枠を開放した状態を、（ｂ）は本体枠を閉じた状態をそれぞれを示す上面図である。
【図２９】本体枠の機構板側の面にて突起部材を固定した変形例を示す図であり、（ａ）は機構板を開放した状態を、（ｂ）は機構板を閉じた状態をそれぞれを示す上面図である。
【図３０】機構板の開閉軸近傍にて突起部材を固定した変形例を示す図であり、（ａ）は本体枠を開放した状態を、（ｂ）は本体枠を閉じた状態をそれぞれを示す上面図である。
【符号の説明】
【０１０９】
Ｓ    包装用シート
Ｐ１  遊技機（パチンコ機）
Ｐ２  遊技機（スロットマシン）
Ｐ３  遊技機（パチロット機）
１０  外枠（開閉可能な構成部材）
１０ｂ〜１０ｅ  シート取外し防止用突起
１１  突起部材
１２  取り付けネジ
１３〜１９  突起部材
２０  本体枠（開閉可能な構成部材）
２０ｂ〜２０ｅ  シート取外し防止用突起
６０  前面枠（開閉可能な構成部材）
６０ａ〜６０ｂ  シート取外し防止用突起
８０  機構板（開閉可能な構成部材）
８０ａ  シート取外し防止用突起
８１  遊技球タンク
８５  役物カバー
８６  払出制御基板ボックス
２２０  本体キャビネット（開閉可能な構成部材）
２２０ａ〜２２０ｂ  シート取外し防止用突起
２２２  突起部材
２２３  ナット
２６０  フロントパネル（開閉可能な構成部材）
３２０  本体枠（開閉可能な構成部材）
３２２  突起部材
３２３  ナット
３６０  フロントパネル（開閉可能な構成部材）
３６０ａ〜３６０ｂ  シート取外し防止用突起
【図１】
2005230026.tif 000003
【図２】
2005230026.tif 000004
【図３】
2005230026.tif 000005
【図４】
2005230026.tif 000006
【図５】
2005230026.tif 000007
【図６】
2005230026.tif 000008
【図７】
2005230026.tif 000009
【図８】
2005230026.tif 000010
【図９】
2005230026.tif 000011
【図１０】
2005230026.tif 000012
【図１１】
2005230026.tif 000013
【図１２】
2005230026.tif 000014
【図１３】
2005230026.tif 000015
【図１４】
2005230026.tif 000016
【図１５】
2005230026.tif 000017
【図１６】
2005230026.tif 000018
【図１７】
2005230026.tif 000019
【図１８】
2005230026.tif 000020
【図１９】
2005230026.tif 000021
【図２０】
2005230026.tif 000022
【図２１】
2005230026.tif 000023
【図２２】
2005230026.tif 000024
【図２３】
2005230026.tif 000025
【図２４】
2005230026.tif 000026
【図２５】
2005230026.tif 000027
【図２６】
2005230026.tif 000028
【図２７】
2005230026.tif 000029
【図２８】
2005230026.tif 000030
【図２９】
2005230026.tif 000031
【図３０】
2005230026.tif 000032